【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
血圧測定デバイスの連続的なキャリブレーションのための方法であって、
プロセッサによって、非干渉血圧測定デバイスによって測定される患者の動脈の膨張および/または断面積の測定値および前記非干渉血圧測定デバイスの高さの両方における変化が2つの観測時点の間に生じたかどうかを決定するステップと、
前記非干渉血圧測定デバイスによって測定される前記動脈の前記膨張および/または断面積の測定値および前記非干渉血圧測定デバイスの高さの両方における変化が2つの観測時点の間に生じたことを決定することに応じて、前記プロセッサによって、心拍数の変化が前記2つの観測時点の間に生じたかどうかを決定するステップと、
心拍数の変化が前記2つの観測時点の間に生じていないことを決定することに応じて、前記プロセッサによって、前記2つの観測時点の間の(i)前記測定された膨張および/または断面積の増分変化量および(ii)前記高さを決定するステップと、
前記プロセッサによって、脈拍の拡張期の一部の指数関数的減衰を表す指数関数的減衰関数をフィッティングする係数を決定するステップであって、前記係数は、(i)前記2つの観測時点の間の前記脈拍の拡張部分の膨張振幅および(ii)バイアス補正項を含む、ステップと、
前記指数関数的減衰関数を前記2つの観測時点の間の前記増分変化量と乗算することによって拡張期血圧を決定するステップと、
収縮期の開始から拡張期の終了までの脈圧の平均に基づいて現在の平均動脈圧を決定するステップであって、前記平均が、前記増分変化量および前記バイアス補正項でスケーリングされる、ステップと、
前記プロセッサによって、前記决定された現在の平均動脈圧と以前に决定された平均動脈圧との比較に基づいて、平均動脈圧の変化がしきい値よりも大きいかどうかを決定するステップと、
前記平均動脈圧の前記変化が前記しきい値よりも大きいことを決定することに応じて、前記プロセッサによって、前記非干渉血圧測定デバイスをキャリブレートするステップと
を備える方法。
【請求項２】
前記プロセッサによって、前記増分変化量および前記バイアス補正項でスケーリングされた収縮期の開始から拡張期の終了までの脈圧の平均に基づいて前記現在の平均動脈圧を決定するステップが、
前記プロセッサによって、指数応力-歪み関数と、前記2つの観測時点の間の前記増分変化量とに少なくとも部分的に基づいて脈圧を決定するステップと、
前記プロセッサによって、前記决定された拡張期血圧と前記决定された脈圧とに基づいて収縮期血圧を決定するステップと
を備える、請求項1に記載の方法。
【請求項３】
前記動脈の前記膨張および/または断面積の前記測定値が、前記非干渉血圧測定デバイスによって、生体インピーダンス、インピーダンスプレチスモグラフィ、フォトプレチスモグラフィ、超音波、および面圧力感知のうちの1つまたは複数によって測定される、請求項1に記載の方法。
【請求項４】
前記しきい値が、前記患者の前記動脈の実際の測定された膨張に関連する圧力値である、請求項1に記載の方法。
【請求項５】
前記非干渉血圧測定デバイスをキャリブレートするステップが、平均動脈圧の前記変化と前記動脈の前記膨張および/または断面積の前記測定値の前記変化とに基づいてメモリ内に記憶されたキャリブレーション値を更新するステップを含む、請求項1に記載の方法。
【請求項６】
前記プロセッサによって、心拍数の変化が前記2つの観測時点の間に生じていたかどうかを決定するステップが、前記プロセッサによって、ハイパスフィルタ復調信号のゼロ交差を決定するステップと、最大脈拍勾配をローカライズするステップと、各脈拍の最大値および最小値に関連する量に基づいて前記脈拍をローカライズするステップと、形状および時間情報を抽出するためにウェーブレットフィルタリングするステップとのうちの1つまたは複数によって、前記脈拍をローカライズするステップを備える、請求項1に記載の方法。
【請求項７】
非干渉血圧測定デバイスによって測定される患者の動脈の膨張および/または断面積の測定値および前記非干渉血圧測定デバイスの高さの両方における変化が2つの観測時点の間に生じたかどうかを決定するための手段と、
前記非干渉血圧測定デバイスによって測定される前記動脈の前記膨張および/または断面積の測定値および前記非干渉血圧測定デバイスの高さの両方における変化が2つの観測時点の間に生じたことを決定することに応じて、心拍数の変化が前記2つの観測時点の間に生じたかどうかを決定するための手段と、
心拍数の変化が前記2つの観測時点の間に生じていないことを決定することに応じて、前記2つの観測時点の間の(i)前記測定された膨張および/または断面積の増分変化量および(ii)前記高さを決定するための手段と、
脈拍の拡張期の一部の指数関数的減衰を表す指数関数的減衰関数をフィッティングする係数を決定するための手段であって、前記係数は、(i)前記2つの観測時点の間の前記脈拍の拡張部分の膨張振幅および(ii)バイアス補正項を含む、手段と、
前記指数関数的減衰関数を前記2つの観測時点の間の前記増分変化量と乗算することによって拡張期血圧を決定するための手段と、
収縮期の開始から拡張期の終了までの脈圧の平均に基づいて現在の平均動脈圧を決定するための手段であって、前記平均が、前記増分変化量および前記バイアス補正項でスケーリングされる、手段と、
前記决定された現在の平均動脈圧と以前に决定された平均動脈圧との比較に基づいて、平均動脈圧の変化がしきい値よりも大きいかどうかを決定するための手段と、
平均動脈圧の前記変化が前記しきい値よりも大きいことを決定することに応じて、前記非干渉血圧測定デバイスをキャリブレートするための手段と
を備えるデバイス。
【請求項８】
前記増分変化量および前記バイアス補正項でスケーリングされた収縮期の開始から拡張期の終了までの脈圧の平均に基づいて前記現在の平均動脈圧を決定するための手段が、
指数応力-歪み関数と、前記2つの観測時点の間の前記増分変化量とに少なくとも部分的に基づいて脈圧を決定するための手段と、
前記决定された拡張期血圧と前記决定された脈圧とに基づいて収縮期血圧を決定するための手段と
を備える、請求項7に記載のデバイス。
【請求項９】
前記動脈の前記膨張および/または断面積の前記測定値が、前記非干渉血圧測定デバイスによって、生体インピーダンス、インピーダンスプレチスモグラフィ、フォトプレチスモグラフィ、超音波、および面圧力感知のうちの1つまたは複数によって測定される、請求項7に記載のデバイス。
【請求項１０】
前記しきい値が、前記患者の前記動脈の実際の測定された膨張に関連する圧力値である、請求項7に記載のデバイス。
【請求項１１】
前記非干渉血圧測定デバイスをキャリブレートするための手段が、平均動脈圧の前記変化と前記動脈の前記膨張および/または断面積の前記測定値の前記変化とに基づいてメモリ内に記憶されたキャリブレーション値を更新するための手段を含む、請求項7に記載のデバイス。
【請求項１２】
心拍数の変化が前記2つの観測時点の間に生じていたかどうかを決定するための手段が、ハイパスフィルタ復調信号のゼロ交差を決定すること、最大脈拍勾配をローカライズすること、各脈拍の最大値および最小値に関連する量に基づいて前記脈拍をローカライズすること、ならびに形状および時間情報を抽出するためにウェーブレットフィルタリングすることのうちの1つまたは複数によって、前記脈拍をローカライズするための手段を備える、請求項7に記載のデバイス。
【請求項１３】
プロセッサ実行可能命令を記憶したプロセッサ可読記憶媒体であって、前記プロセッサ実行可能命令が、
非干渉血圧測定デバイスによって測定される患者の動脈の膨張および/または断面積の測定値および前記非干渉血圧測定デバイスの高さの両方における変化が2つの観測時点の間に生じたことを決定することに応じて、心拍数の変化が前記2つの観測時点の間に生じたかどうかを決定することと、
心拍数の変化が前記2つの観測時点の間に生じていないことを決定することに応じて、前記2つの観測時点の間の(i)前記測定された膨張および/または断面積の増分変化量および(ii)前記高さを決定することと、
脈拍の拡張期の一部の指数関数的減衰を表す指数関数的減衰関数をフィッティングする係数を決定することであって、前記係数は、(i)前記2つの観測時点の間の前記脈拍の拡張部分の膨張振幅および(ii)バイアス補正項を含む、手段と、
前記指数関数的減衰関数を前記2つの観測時点の間の前記増分変化量と乗算することによって拡張期血圧を決定することと、
収縮期の開始から拡張期の終了までの脈圧の平均に基づいて現在の平均動脈圧を決定することであって、前記平均が、前記増分変化量および前記バイアス補正項でスケーリングされる、ことと、
前記决定された現在の平均動脈圧と以前に决定された平均動脈圧との比較に基づいて、平均動脈圧の変化がしきい値よりも大きいかどうかを決定することと、
平均動脈圧の前記変化が前記しきい値よりも大きいことを決定することに応じて、前記非干渉血圧測定デバイスをキャリブレートすることと
を備える動作をプロセッサに実行させるように構成されたプロセッサ可読記憶媒体。
【請求項１４】
前記増分変化量および前記バイアス補正項でスケーリングされた収縮期の開始から拡張期の終了までの脈圧の平均に基づいて前記現在の平均動脈圧を決定することが、
指数応力-歪み関数と、前記2つの観測時点の間の前記増分変化量とに少なくとも部分的に基づいて脈圧を決定することと、
前記决定された拡張期血圧と前記决定された脈圧とに基づいて収縮期血圧を決定することと
を備えるように、前記記憶されたプロセッサ実行可能命令がプロセッサに動作を実行させるように構成された、請求項13に記載のプロセッサ可読記憶媒体。
【請求項１５】
前記動脈の前記膨張および/または断面積の前記測定値が、前記非干渉血圧測定デバイスによって、生体インピーダンス、インピーダンスプレチスモグラフィ、フォトプレチスモグラフィ、超音波、および面圧力感知のうちの1つまたは複数によって測定されるように、前記記憶されたプロセッサ実行可能命令がプロセッサに動作を実行させるように構成された、請求項13に記載のプロセッサ可読記憶媒体。